(57)【要約】【課題】異音を防止できる構造でありながら、製作コストを低廉化できるとともに、ゴムブッシュをスタビライザーバーに強く固定できて耐久性に優れたゴムブッシュ付きスタビライザーバーを提供する【解決手段】外周面がＵ字状の外周面４のうちの突曲面１２から成るゴムブッシュ３の突曲部３７が、目標とする製品寸法よりも径方向外方側に設定量膨出した状態になるようにゴムブッシュ３を加硫成形し、熱硬化性接着剤を塗布したスタビライザーバー１の被嵌合２部にゴムブッシュ３を外嵌し、突曲面１２と扁平面５とを押圧してゴムブッシュ３を挟圧した状態で、ゴムブッシュを加熱して被嵌合部２に固着してある。【選択図】        図６
2006027311.tif 000002
【特許請求の範囲】
【請求項１】
Ｕ字状の外周面と、前記Ｕ字状の外周面の両端に連続する直線状の扁平面とを備えた筒状のゴムブッシュを、スタビライザーバーの被嵌合部に外嵌固定してあるゴムブッシュ付きスタビライザーバーであって、
外周面が前記Ｕ字状の外周面のうちの突曲面から成る前記ゴムブッシュの突曲部が、目標とする製品寸法よりも径方向外方側に設定量膨出した状態になるように前記ゴムブッシュを加硫成形し、熱硬化性接着剤を塗布した前記スタビライザーバーの被嵌合部に前記ゴムブッシュを外嵌し、前記突曲面と扁平面とを押圧して前記ゴムブッシュを挟圧した状態で、前記ゴムブッシュを加熱して前記被嵌合部に固着してあるゴムブッシュ付きスタビライザーバー。
【請求項２】
Ｕ字状の外周面と、前記Ｕ字状の外周面の両端に連続する直線状の扁平面とを備えた筒状のゴムブッシュを、スタビライザーバーの被嵌合部に外嵌固定してあるゴムブッシュ付きスタビライザーバーであって、
外周面が前記Ｕ字状の外周面のうちの突曲面から成る前記ゴムブッシュの突曲部を周方向に複数の突曲部分に区分けし、前記周方向で中央に位置する突曲部分が、目標とする製品寸法よりも径方向外方側に設定量膨出した状態になるように前記ゴムブッシュを加硫成形し、熱硬化性接着剤を塗布した前記スタビライザーバーの被嵌合部に前記ゴムブッシュを外嵌し、前記突曲面と扁平面とを押圧して前記ゴムブッシュを挟圧した状態で、前記ゴムブッシュを加熱して前記被嵌合部に固着してあるゴムブッシュ付きスタビライザーバー。
【請求項３】
Ｕ字状の外周面と、前記Ｕ字状の外周面の両端に連続する直線状の扁平面とを備えた筒状のゴムブッシュを、スタビライザーバーの被嵌合部に外嵌固定してあるゴムブッシュ付きスタビライザーバーであって、
外周面が前記Ｕ字状の外周面のうちの突曲面から成る前記ゴムブッシュの突曲部を周方向に複数の突曲部分に区分けし、前記周方向で中央に位置する突曲部分以外の各突曲部分が、目標とする製品寸法よりも径方向外方側に設定量膨出した状態になるように前記ゴムブッシュを加硫成形し、熱硬化性接着剤を塗布した前記スタビライザーバーの被嵌合部に前記ゴムブッシュを外嵌し、前記突曲面と扁平面とを押圧して前記ゴムブッシュを挟圧した状態で、前記ゴムブッシュを加熱して前記被嵌合部に固着してあるゴムブッシュ付きスタビライザーバー。
【請求項４】
前記ゴムブッシュの中空孔を挟んで前記突曲部とは反対側のゴムブッシュ部分に金属製又は樹脂製のインサート材を埋設し、前記中空孔側を向く前記インサート材の面を、前記中空孔の周方向に沿う円弧状の曲面に形成してある請求項１，２，３のいずれか一つに記載のゴムブッシュ付きスタビライザーバー。
【請求項５】
前記中空孔とは反対側を向く前記インサート材の面を露出させてある請求項４記載のゴムブッシュ付きスタビライザーバー。
【請求項６】
前記ゴムブッシュの幅方向に沿う方向のインサート材の長さを前記中空孔の径よりも長く設定してある請求項４又は５記載のゴムブッシュ付きスタビライザーバー。
【発明の詳細な説明】
【技術分野】
【０００１】
本発明は、Ｕ字状の外周面と、前記Ｕ字状の外周面の両端に連続する直線状の扁平面とを備えた筒状のゴムブッシュを、スタビライザーバーの被嵌合部に外嵌固定するゴムブッシュ付きスタビライザーバーに関する。
【背景技術】
【０００２】
従来、この種のゴムブッシュ付きスタビライザーバーではスタビライザーバーをゴムブッシュに挿通させただけの構造になっていた。そして、Ｕ字状のゴムブッシュ受けを備えたクランプでゴムブッシュを車体側に押圧固定して、ゴムブッシュの扁平面を車体の取付け面に圧接させてあった。
【０００３】
しかしながら上記の構造によれば、スタビライザーバーをゴムブッシュに挿通させただけの構造であったために、ゴムブッシュとスタビライザーバーとの間に水が浸入したときや気温が非常に低温になったときに、ゴムブッシュがスタビライザーバーに対してスリップして異音が発生するという問題があった。
【０００４】
この問題を解消するために、ゴムブッシュをスタビライザーバーに加硫接着する第１の技術や、特許文献１に開示されているように、加硫成形したゴムブッシュをスタビライザーバーに接着剤によって常温で固着する第２の技術がある。両技術ではゴムブッシュをスタビライザーバーに外嵌固着することで、両者のすべりを抑えて異音の発生を防止しようとしている。
【特許文献１】特開平１１−１０８０９６号公報
【発明の開示】
【発明が解決しようとする課題】
【０００５】
上記の第１の技術によれば、異音の発生を防止できるものの、スタビライザーバーが長いために加硫接着の生産設備が大型化し、設備コストが高くなるとともに、生産性を高めることが困難で製作コストが高くなる。そして第２技術では、高温雰囲気で接着剤の接着力が低下してゴムブッシュの内周面がスタビライザーバーの外周面から分離してしまうおそれがある。
【０００６】
本発明の目的は、異音を防止できる構造でありながら、製作コストを低廉化できるとともに、ゴムブッシュをスタビライザーバーに強く固定できて耐久性に優れたゴムブッシュ付きスタビライザーバーを提供する点にある。
【課題を解決するための手段】
【０００７】
本第１発明の特徴は、Ｕ字状の外周面と、前記Ｕ字状の外周面の両端に連続する直線状の扁平面とを備えた筒状のゴムブッシュを、スタビライザーバーの被嵌合部に外嵌固定してあるゴムブッシュ付きスタビライザーバーであって、
外周面が前記Ｕ字状の外周面のうちの突曲面から成る前記ゴムブッシュの突曲部が、目標とする製品寸法よりも径方向外方側に設定量膨出した状態になるように前記ゴムブッシュを加硫成形し、熱硬化性接着剤を塗布した前記スタビライザーバーの被嵌合部に前記ゴムブッシュを外嵌し、前記突曲面と扁平面とを押圧して前記ゴムブッシュを挟圧した状態で、前記ゴムブッシュを加熱して前記被嵌合部に固着してある点にある。
【０００８】
この構成によれば、次の作用を奏することができる。
（Ａ）  前記突曲面と扁平面とを挟圧してゴムブッシュを圧縮した状態でゴムブッシュを加熱することで、熱硬化性の接着剤が硬化してゴムブッシュがスタビライザーバーに強く固着する。接着剤は熱硬化性であるから高温雰囲気で接着力が低下することはない。その結果、ゴムブッシュがスタビライザーバーに対してスリップすることがなくなって異音の発生を防止することができる。また、ゴムブッシュをスタビライザーバーとは別個にして単独で加硫成形するから、加硫成形のための生産設備が大型化することがなく、生産性を上げることができて、製作コストを低廉化することができる。
【０００９】
（Ｂ）  前記突曲面と扁平面とを押圧してゴムブッシュを挟圧し、この状態でゴムブッシュを加熱したときに、突曲部に、熱によるへたりが生じると、ゴムブッシュに対する挟圧力が弱くなってゴムブッシュとスタビライザーバーの接着力が弱くなるおそれがある。そして、製品完成後にクランプでゴムブッシュを車体側に押圧固定したときに、ゴムブッシュの扁平面を車体の取付け面に所望の力で圧接させるのが困難になって、車体に対する固定状態が不安定になる。これに対して本発明の上記構成によれば、挟圧される前のゴムブッシュの突曲部が、目標とする製品寸法よりも径方向外方側に設定量膨出しているから、ゴムブッシュに、挟圧による圧縮力を確実に伝えることができて、ゴムブッシュとスタビライザーバーの接着力が弱くなる不具合を回避できる。そして突曲部に、熱によるへたりが生じても突曲部を製品寸法通りに形成しやすくすることができる。その結果、製品完成後にクランプでゴムブッシュを車体側に押圧固定したときに、ゴムブッシュの扁平面を車体の取付け面に所望の力で圧接させることができて車体に対する固定状態を安定化できる。ゴムブッシュの幅方向（前記Ｕ字状の外周面のうちの一対の直線状の面と交差する方向）の寸法は、上記のような膨出した状態になっていないから、例えば、突曲部に対する挟圧用の第１押圧具の嵌合凹部や、扁平面側に対する挟圧用の第２押圧具の嵌合凹部にゴムブッシュを円滑に嵌合させることができて、嵌合できなくなる不具合を回避することができる。
【００１０】
本第２発明は、Ｕ字状の外周面と、前記Ｕ字状の外周面の両端に連続する直線状の扁平面とを備えた筒状のゴムブッシュを、スタビライザーバーの被嵌合部に外嵌固定してあるゴムブッシュ付きスタビライザーバーであって、
外周面が前記Ｕ字状の外周面のうちの突曲面から成る前記ゴムブッシュの突曲部を周方向に複数の突曲部分に区分けし、前記周方向で中央に位置する突曲部分が、目標とする製品寸法よりも径方向外方側に設定量膨出した状態になるように前記ゴムブッシュを加硫成形し、熱硬化性接着剤を塗布した前記スタビライザーバーの被嵌合部に前記ゴムブッシュを外嵌し、前記突曲面と扁平面とを押圧して前記ゴムブッシュを挟圧した状態で、前記ゴムブッシュを加熱して前記被嵌合部に固着してある点にある。
【００１１】
この構成によれば、前記（Ａ），（Ｂ）と同様の作用を奏することができる。
【００１２】
本第３発明は、Ｕ字状の外周面と、前記Ｕ字状の外周面の両端に連続する直線状の扁平面とを備えた筒状のゴムブッシュを、スタビライザーバーの被嵌合部に外嵌固定してあるゴムブッシュ付きスタビライザーバーであって、
外周面が前記Ｕ字状の外周面のうちの突曲面から成る前記ゴムブッシュの突曲部を周方向に複数の突曲部分に区分けし、前記周方向で中央に位置する突曲部分以外の各突曲部分が、目標とする製品寸法よりも径方向外方側に設定量膨出した状態になるように前記ゴムブッシュを加硫成形し、熱硬化性接着剤を塗布した前記スタビライザーバーの被嵌合部に前記ゴムブッシュを外嵌し、前記突曲面と扁平面とを押圧して前記ゴムブッシュを挟圧した状態で、前記ゴムブッシュを加熱して前記被嵌合部に固着してある点にある。
この構成によれば、上記（Ａ），（Ｂ）と同様の作用を奏することができ、さらに次の（Ｃ）の作用を奏することができる。
【００１３】
（Ｃ）前記突曲面と扁平面とを押圧してゴムブッシュを挟圧したときに、その挟圧方向に対して傾斜した方向（各突曲部分が膨出した方向）の挟圧力を強くすることができ、ゴムブッシュとスタビライザーバーとの周方向で両者の接着力を均一化しやすくなって両者の接着性をよくすることができる。
【００１４】
本第１〜第３発明において、前記ゴムブッシュの中空孔を挟んで前記突曲部とは反対側のゴムブッシュ部分に金属製又は樹脂製のインサート材を埋設し、前記中空孔側を向く前記インサート材の面を、前記中空孔の周方向に沿う円弧状の曲面に形成してあると、次の（Ｄ）の作用を奏することができる。
【００１５】
（Ｄ）  前記突曲面と扁平面とを押圧してゴムブッシュを挟圧したとき、インサート材が、前記突曲面との間のゴムブッシュ部分を圧縮する。この場合、前記円弧状の曲面の周方向両端部が前記ゴムブッシュ部分を受止めて、ゴムブッシュ部分がゴムブッシュの幅方向外方側に膨出するのを阻止する。これにより、ゴムブッシュ部分に加わる圧縮力が逃げるのを抑制することができる。そして、中空孔側を向くインサート材の面が、中空孔の周方向に沿う円弧状の曲面になっていることで、挟圧力が前記曲面に直交する方向の力としてゴムブッシュ部分に加わる。その結果、ゴムブッシュとスタビライザーバーとの圧接力を、両者の周方向で均一化しやすくすることができ、両者の周方向で両者の接着力を均一化しやすくなって両者の接着性をよくすることができる。また、Ｕ字状のゴムブッシュ受けを備えたクランプでゴムブッシュを車体側に押圧固定して、ゴムブッシュの扁平面を車体の取付け面に圧接させたときに、クランプとインサート材とが、これらの間のゴムブッシュ部分を圧縮する。この場合、前記円弧状の曲面の周方向両端部が前記ゴムブッシュ部分を受止めて、ゴムブッシュ部分がゴムブッシュの幅方向外方側に膨出するのを阻止する。これにより、ゴムブッシュ部分に加わる圧縮力が逃げるのを抑制することができ、ゴムブッシュを車体の取付け面に所望の通りの力で圧接させることができて、車体に対する固定状態を安定化できる。
【００１６】
本第１〜第３発明において、前記中空孔とは反対側を向く前記インサート材の面を露出させてあると、前記インサート材の面が車体の取付け面に直接圧接するので、圧接力が吸収されるのを抑制して、ゴムブッシュを車体の取付け面に所望の通りの力で圧接させやすくすることができ、車体に対する固定状態を安定化できる。
【００１７】
本第１〜第３発明において、前記ゴムブッシュの幅方向に沿う方向のインサート材の長さを前記中空孔の径よりも長く設定してあると、前記円弧状の曲面の周方向の両端部が前記ゴムブッシュ部分を受止めやすくなり、ゴムブッシュ部分がゴムブッシュの幅方向外方側に膨出するのをより阻止しやすくすることができる。
【発明の効果】
【００１８】
本第１〜第３発明によれば、異音を防止できる構造でありながら、製作コストを低廉化できるとともに、ゴムブッシュをスタビライザーバーに強く固定できて耐久性に優れたゴムブッシュ付きスタビライザーバーを提供することができた。
【発明を実施するための最良の形態】
【００１９】
以下、本発明の実施の形態を図面に基づいて説明する。図１に、自動車のサスペンションと車体側のメンバとに取付けられるゴムブッシュ付きスタビライザーバーを示してある。このゴムブッシュ付きスタビライザーバーは、表面が塗装がされた金属丸棒状のスタビライザーバー１と、スタビライザーバー１の被嵌合部２に外嵌固定されたゴムブッシュ３とから成る。
【００２０】
ゴムブッシュ３は、Ｕ字状の外周面４と、このＵ字状の外周面４の両端に連続する直線状の扁平面５とを備えた筒状に形成され、ゴムブッシュ３の軸方向の両端部にフランジ６がそれぞれ形成されている。そしてゴムブッシュ３に、径方向及び軸方向に沿う装着用の切断部７が形成されている。
【００２１】
上記のゴムブッシュ３をクランプ８で車体側に押圧固定して、ゴムブッシュ３の扁平面５を車体の取付け面に圧接させる。クランプ８は、ゴムブッシュ３の両フランジ６間のＵ字状の外周面４をややきつく内嵌させるＵ字状のゴムブッシュ受け９と、このゴムブッシュ受け９の開放した両端から横外方側に張出す取付け片１０とから成る。取付け片１０にはボルト挿通孔１１が形成されている。
【００２２】
ゴムブッシュ付きスタビライザーバーの製造方法は次の通りである。すなわち、スタビライザーバー１の外周面をカチオン電着塗装や粉体塗装により塗装する。その後、スタビライザーバー１の被嵌合部２の塗装膜面に熱硬化性エポキシ系接着剤（熱硬化性接着剤の一例）を塗布する。そして、加硫成形したゴムブッシュ３の切断部７を開放してゴムブッシュ３を被嵌合部２に外嵌する。次に、図６に示すように、Ｕ字状の外周面４のうちの突曲面１２に第１押圧具１３の第１嵌合凹部１４を外嵌するとともに、前記扁平面５と、Ｕ字状の外周面４のうちの直線状の面１５とに第２押圧具１６の第２嵌合凹部１７を外嵌する。そして図７に示すように、第１押圧具１３と第２押圧具１６でゴムブッシュ３を挟圧してゴムブッシュ３を５％〜１０％圧縮した状態でゴムブッシュ３を加熱し、第１押圧具１３と第２押圧具１６を取外してゴムブッシュ付きスタビライザーバーを得る。ゴムブッシュ３に対する加熱温度は１２０℃〜２００℃、加熱時間は１５分〜６０分である。
【００２３】
詳述すると、図８（ａ），図８（ｂ）に示すように、外周面が前記突曲面１２から成る前記ゴムブッシュ３の突曲部３７が、目標とする製品寸法（の突曲部）よりも径方向外方側に設定量だけ膨出した状態になるようにゴムブッシュ３を加硫成形しておく。図８（ｂ）において一点鎖線Ａは製品寸法の突曲部３７の突曲面を表す。加熱前の前記突曲面１２は、製品寸法の突曲部３７の突曲面Ａに対応したなだらかな円弧状の曲面になっている。このように加硫成形したゴムブッシュ３を第１押圧具１３と第２押圧具１６で挟圧した状態で加熱するから、突曲部３７に熱によるへたり（収縮）が生じても突曲部３７を製品寸法通りに形成しやすくなる。つまり、前記設定量は突曲部３７のへたりを考慮した量であり、へたりで収縮する量である。ゴムブッシュ３の中空孔３８の中心は、突曲部３７と後述の角ブロック部２６との境界よりも少し角ブロック部２６側に位置している。
【００２４】
図２，図３，図４に示すように第１押圧具１３は、ゴムブッシュ３の突曲部３７（図８参照）を収容する断面Ｕ字状の第１収容部１８と、この第１収容部１８の開放した両端から横外方側に張出す一対の第１取付け板１９とから成る。第１収容部１８に前記第１嵌合凹部１４が形成されている。第１嵌合凹部１４は前記突曲面１２にきつく外嵌する。この第１嵌合凹部１４に、ゴムブッシュ３の一対のフランジ６を各別に収容する一対のフランジ受け２０が形成されている。そして、第１取付け板１９に一対の貫通孔２１が形成され、第１押圧具１３の軸方向の両端部に、突曲部１７の軸方向の両端面２２を覆う一対の第１側壁２３が各別に形成され、この第１側壁２３にスタビライザーバー１を受け入れる半円形の凹部２５が形成されている。
【００２５】
図２，図３，図５に示すように第２押圧具１６は、ゴムブッシュ３の角ブロック部２６（図８参照。外周面が、前記扁平面５と、Ｕ字状の外周面４のうちの直線状の面１５とから成るゴムブッシュ部分）を収容する断面コの字状の第２収容部２８と、この第２収容部２８の開放した両端から横外方側に張出す一対の第２取付け板２９とから成る。第２収容部２８に前記第２嵌合凹部１７が形成されている。第２嵌合凹部１７は、前記扁平面５と、Ｕ字状の外周面４のうちの直線状の面１５とにきつく外嵌する。また、第１取付け板１９の一対の貫通孔２１に各別に入り込む一対のピン３０が第２取付け板２９に突設されている。そして、第２押圧具１６の軸方向の両端部に、角ブロック部２６の軸方向の両端面３１を覆う一対の第２側壁３２が各別に形成され、この第２側壁３２にスタビライザーバー１を受け入れる半円形の凹部３３が形成されている。角ブロック部２６の端面３１は突曲部３７の端面２２と段差なく連なっている。
【００２６】
図７に示すように、第１取付け金具１３と第２押圧具１６とでゴムブッシュ３を挟圧した状態で、第２押圧具１６の一対のピン３０が第１押圧具１３の一対の貫通孔２１に各別に入り込む。そして、第１嵌合凹部１４と第２嵌合凹部１７でゴムブッシュ３のほぼ全面が覆われた状態になる。
【００２７】
上記のように、本発明のゴムブッシュ付きスタビライザーバー１は、外周面が前記突曲面１２から成るゴムブッシュ３の突曲部３７が、目標とする製品寸法よりも径方向外方側に設定量膨出した状態になるようにゴムブッシュ３を加硫成形し、熱硬化性接着剤を塗布したスタビライザーバー１の被嵌合部２にゴムブッシュ３を外嵌し、突曲面１２と扁平面５とを押圧してゴムブッシュ３を挟圧した状態で、ゴムブッシュ３を加熱して被嵌合部２に固着してあるゴムブッシュ付きスタビライザーバーである。
【００２８】
［別実施形態］
（１）図９（ａ），図９（ｂ）に示すように、前記ゴムブッシュ３の突曲部３７を周方向に複数（本実施形態では３個）の突曲部分３７Ａ，３７Ｂ，３７Ｃに区分けし、前記周方向で中央に位置する突曲部分３７Ｂが、目標とする製品寸法よりも径方向外方側に設定量膨出した状態になるようにゴムブッシュ３を加硫成形してもよい。つまり、本実施形態のゴムブッシュ付きスタビライザーバーは、外周面が前記突曲面１２から成るゴムブッシュ３の突曲部３７を周方向に複数の突曲部分３７Ａ，３７Ｂ，３７Ｃに区分けし、前記周方向で中央に位置する突曲部分３７Ｂが、目標とする製品寸法よりも径方向外方側に設定量膨出した状態になるようにゴムブッシュ３を加硫成形し、熱硬化性接着剤を塗布したスタビライザーバー１の被嵌合部２にゴムブッシュ３を外嵌し、突曲面１２と扁平面５とを押圧してゴムブッシュ３を挟圧した状態で、ゴムブッシュ３を加熱して被嵌合部２に固着してあるゴムブッシュ付きスタビライザーバーである。
【００２９】
（２）図１０（ａ），図１０（ｂ）に示すように、前記ゴムブッシュ３の突曲部３７を周方向に複数（本実施形態では３個）の突曲部分３７Ａ，３７Ｂ，３７Ｃに区分けし、前記周方向で中央に位置する突曲部分３７Ｂ以外の各突曲部分３７Ａ，３７Ｃが、目標とする製品寸法よりも径方向外方側に設定量膨出した状態になるようにゴムブッシュ３を加硫成形してもよい。つまり、本実施形態のゴムブッシュ付きスタビライザーバーは、外周面が前記突曲面１２から成るゴムブッシュ３の突曲部３７を周方向に複数の突曲部分３７Ａ，３７Ｂ，３７Ｃに区分けし、前記周方向で中央に位置する突曲部分３７Ｂ以外の各突曲部分３７Ａ，３７Ｃが、目標とする製品寸法よりも径方向外方側に設定量膨出した状態になるようにゴムブッシュ３を加硫成形し、熱硬化性接着剤を塗布したスタビライザーバー１の被嵌合部２にゴムブッシュ３を外嵌し、突曲面１２と扁平面５とを押圧してゴムブッシュ３を挟圧した状態で、ゴムブッシュ３を加熱して被嵌合部２に固着してあるゴムブッシュ付きスタビライザーバーである。
【００３０】
（３）図８（ａ），図８（ｂ）に示すゴムブッシュ３の第１の実施形態において、図１１（ａ），図１１（ｂ）に示すように、前記ゴムブッシュ３の中空孔３８を挟んで突曲部３７とは反対側のゴムブッシュ部分３９（前記角ブロック部２６の一部分）に金属製又は樹脂製のインサート材４０を埋設し、中空孔３８側を向くインサート材４０の第１面４１を、中空孔３８の周方向に沿う円弧状の曲面に形成してもよい。中空孔３８とは反対側を向くインサート材４０の第２面４２はゴムブッシュ部分３９からはみだして露出している。
【００３１】
そして、ゴムブッシュ３の幅方向に沿う方向のインサート材４０の長さＣを中空孔３８の径よりも長く設定し、ゴムブッシュ３の軸方向におけるインサート材４０の長さＤをゴムブッシュ３の両フランジ６間の長さとほぼ同一に設定し、インサート材４０の第１面４１と中空孔３８の内周面との間の長さを、第１押圧具１３と第２押圧具１６に取り付けられる前のゴムブッシュ３の突曲面１２と中空孔３８の内周面との間の長さとほぼ同一に設定してある。
【００３２】
（４）図１２（ａ），図１２（ｂ）に示すように、ゴムブッシュ３の軸方向で突曲部３７の中央部だけが、目標とする製品寸法よりも径方向外方側に設定量だけ膨出した状態になるようにゴムブッシュ３を加硫成形してもよい。
【００３３】
（５）図９（ａ），図９（ｂ）に示す実施形態と、図１０（ａ），図１０（ｂ）に示す実施形態と、図１２（ａ），図１２（ｂ）に示す実施形態とにおいて、上記（３）の構成（インサート材４０を埋設した構成）を採用してもよい。
【００３４】
（６）上記の実施形態で挙げた数値は一例であり、別の数値であってもよい。例えば、前記ゴムブッシュ３の突曲部３７を周方向に４個以上に区分けしてもよい。
【図面の簡単な説明】
【００３５】
【図１】ゴムブッシュ付きスタビライザーバーとクランプの斜視図
【図２】第１押圧具と第２押圧具の正面図
【図３】第１押圧具と第２押圧具の側面図
【図４】第１押圧具の平面図
【図５】第２押圧具の底面図
【図６】ゴムブッシュを第１押圧具と第２押圧具に嵌合する状態を示す図
【図７】ゴムブッシュを第１押圧具と第２押圧具で挟圧した状態を示す図
【図８】（ａ）はゴムブッシュの側面図、（ｂ）はゴムブッシュの正面図
【図９】（ａ）は第２の実施形態のゴムブッシュの側面図、（ｂ）は第２の実施形態のゴムブッシュの正面図
【図１０】（ａ）は第３の実施形態のゴムブッシュの側面図、（ｂ）は第３の実施形態のゴムブッシュの正面図
【図１１】（ａ）は第４の実施形態のゴムブッシュの側面図、（ｂ）は第４の実施形態のゴムブッシュの正面図
【図１２】（ａ）は第５の実施形態のゴムブッシュの側面図、（ｂ）は第５の実施形態のゴムブッシュの正面図
【符号の説明】
【００３６】
１……スタビライザーバー、２……被嵌合部、３……ゴムブッシュ、４……Ｕ字状の外周面、５……扁平面、１２……Ｕ字状の外周面のうちの突曲面、１５……Ｕ字状の外周面のうちの直線状の面、３７……突曲部、３７Ａ，３７Ｂ，３７Ｃ……突曲部分、３８……中空孔、３９……ゴムブッシュ部分、４０……インサート材、４１……中空孔側を向くインサート材の面（インサート材の第１面）、４２……中空孔とは反対側を向くインサート材の面（インサート材の第２面）、Ｃ……ゴムブッシュの幅方向に沿う方向のインサート材の長さ
【図１】
2006027311.tif 000003
【図２】
2006027311.tif 000004
【図３】
2006027311.tif 000005
【図４】
2006027311.tif 000006
【図５】
2006027311.tif 000007
【図６】
2006027311.tif 000008
【図７】
2006027311.tif 000009
【図８】
2006027311.tif 000010
【図９】
2006027311.tif 000011
【図１０】
2006027311.tif 000012
【図１１】
2006027311.tif 000013
【図１２】
2006027311.tif 000014